(57)【特許請求の範囲】
【請求項１】
対向する１対の辺部を有し被覆対象をくるむための被覆地と、
該被覆地を装着対象の椅子に着脱自在に取り付けるための係止部材と、
前記被覆地の前記対向する１対の辺部を開閉するための開閉部材と、
前記被覆地の前記１対の辺部の間の一方の辺部を絞り込むための絞込部材とを備え、
前記係止部材は、前記被覆地の前記絞込部材によって絞り込まれる辺部に対向する辺部近傍に取り付けられた１対の開閉自在のリング状部材であり、
前記被覆地中に装着対象の椅子の保護ベルトを挿通するための挿通孔が設けられたことを特徴とする椅子装着用のおくるみ。
【請求項２】
請求項１記載のおくるみであって、
前記開閉部材はファスナであることを特徴とする椅子装着用のおくるみ。
【請求項３】
請求項１又は２記載のおくるみであって、
前記挿通孔は３箇所に形成されると共に、
前記被覆地に前記絞り込み部材で絞り込まれる辺部に実質的に平行に設けられた１対の穴部と、
前記１対の穴部を覆うために、前記被覆地に取り付けられた１対の開閉自在のカバーとをさらに備えたことを特徴とする椅子装着用のおくるみ。
【請求項４】
請求項１、２、又は３記載のおくるみと、背もたれ部と、座席部と、脚部とを有し、
前記おくるみの前記被覆部が前記座席部上に載置され、
前記係止部材が前記座席部又は前記背もたれ部の一部に取り付けられることを特徴とする椅子。
【請求項５】
請求項４記載の椅子であって、
更に移動用の車を備えたことを特徴とする椅子。
【発明の詳細な説明】
【０００１】
【発明の属する技術分野】
本発明は、例えばベビーカー、又は車椅子等の可動の椅子の付属品として使用して好適な椅子装着用のおくるみ、及びこのおくるみを備えた椅子に関する。
【０００２】
【従来の技術】
従来より、まだ歩行できない幼児や歩行力の弱い幼児を運搬するためにベビーカーが使用されている。ベビーカーにはオプションとして、夏期の日光の直射を避けるための日除けや、雨を避けるための透明なビニール製の覆いが備えられているが、特に春秋の寒風や冬季の寒さに対処するための付属品はない。
【０００３】
そこで、例えば冬季にベビーカーで幼児を移動するような場合、従来はベビーカーに乗せる幼児に厚手のジャンパを着せると共に、更にその幼児を包むように毛布、又はショール等をかけていた。
【０００４】
【発明が解決しようとする課題】
しかしながら、そのようにベビーカーに乗せた幼児を包むように毛布、又はショール等をかけた状態で、そのベビーカーを動かしていると、次第にその毛布等の下端が垂れ下がる恐れがある。そして、このように垂れ下がった部分が道路上でひきずられると、不衛生であると共に、その部分がベビーカーのキャスタに巻き込まれると、ベビーカーがスリップして危険でもあるという不都合があった。
【０００５】
また、ベビーカーのみならず、例えば車椅子で人を移動するような場合にも、その人の上に毛布等をかける場合には、同様な不都合があった。
本発明は斯かる点に鑑み、特にベビーカーや車椅子等の可動の椅子に幼児等を乗せて移動する場合に、その椅子への着脱が容易であると共に、その幼児等の防寒を安全に行うことができるおくるみを提供することを目的とする。更に本発明は、そのような椅子装着用のおくるみを備えた椅子を提供することをも目的とする。
【０００６】
【課題を解決するための手段】
本発明による椅子装着用のおくるみは、例えば図１に示すように、対向する１対の辺部（１ａ，１ｂ）を有し被覆対象をくるむための被覆地（１）と、この被覆地を装着対象の椅子に着脱自在に取り付けるための係止部材（７，８）と、被覆地（１）のその対向する１対の辺部（１ａ，１ｂ）を開閉するための開閉部材（２ａ，２ｂ）と、を有するものである。
【０００７】
斯かる本発明によれば、被覆地（１）を装着対象の椅子上に載せて、係止部材（７，８）を例えばその椅子の一部に取り付けて、被覆地（１）で対象者（幼児等）をくるんだ後、開閉部材（２ａ，２ｂ）によって被覆地（１）のその１対の辺部（１ａ，１ｂ）を閉じる。これによって、本発明のおくるみは容易にその椅子に装着できると共に、その被覆地（１）の一部が次第に垂れ下がることもなく、安全にその対象者の防寒が行われる。
【０００８】
本発明においては更に、被覆地（１）のその１対の辺部（１ａ，１ｂ）の間の一方の辺部（１ｄ）を絞り込むための絞込部材（３，４）が設けられている。その対象者の足部がその一方の辺部（１ｄ）からはみ出さないときには、その絞込部材（３，４）を絞り込むことによって、防寒性が高まる。
また、本発明において、その係止部材は、被覆地（１）の絞込部材（３，４）によって絞り込まれる辺部（１ｄ）に対向する辺部近傍に取り付けられた１対の開閉自在のリング状部材（７，８）であり、被覆地（１）中に装着対象の椅子の保護ベルトを挿通するための挿通孔（９〜１１）が設けられている。
この場合、その開閉部材の一例はファスナ（２ａ，２ｂ）である。
また、一例として、その挿通孔（９〜１１）は３箇所に形成されると共に、その被覆地にその絞り込み部材で絞り込まれる辺部に実質的に平行に設けられた１対の穴部（２３，２６）と、その１対の穴部を覆うために、その被覆地に取り付けられた１対の開閉自在のカバー（２５，２７）とをさらに備えてもよい。
【０００９】
つぎに、本発明の椅子は、例えば図１及び図２に示すように、本発明の椅子装着用のおくるみと、背もたれ部（１２）と、座席部（１５）と、脚部（１３，１４）とを有し、そのおくるみの被覆部（１）が座席部（１５）上に載置され、係止部材（７，８）が座席部（１５）又は背もたれ部（１２）の一部（１２ａ，１２ｂ）に取り付けられるものである。本発明の椅子によれば、そのおくるみによって、安全に防寒が行われる。
【００１０】
この場合、更に移動用の車（１９）を備えていてもよい。移動用の車とはキャスタや車輪を意味し、これはその椅子がベビーカーや車椅子等の可動の椅子であることを意味する。
【００１１】
【発明の実施の形態】
以下、本発明の実施の形態の一例につき図面を参照して説明する。本例はベビーカーに本発明を適用したものである。
図１は本例のおくるみを示し、この図１において、綿のキルト地より左右の辺部１ａ及び１ｂと、上下の辺部１ｃ及び１ｄとで囲まれたほぼ矩形状の被覆地１を形成する。左右の辺部１ａ，１ｂのエッジの間隔は約１．１ｍ、上下の辺部１ｃ，１ｄのエッジの間隔は約１ｍであり、上部の辺部１ｃと左右の辺部１ａ，１ｂとの間にそれぞれ円弧状の切り込み部１ｅ，１ｆを形成する。キルト地は軽い上に保温性が良好であるという利点がある。但し、キルト地の代わりに、モッサ地、厚手の木綿地、合成皮革、又は毛糸地等を使用してもよい。
【００１２】
また、被覆地１の左右の辺部１ａ及び１ｂに沿ってそれぞれ、開閉部材としてのファスナ２（図３参照）の凸部２ｂ及び凹部２ａを縫合し、下部の辺部１ｄのエッジ部を内側に折り返して縫合することによって、内部に空洞を有する収納部３を形成する。この収納部３に絞込部材としての太い紐４を挿通し、この紐４の両端にこぶ状のストッパを設ける。これによって、紐４の一端を引いてもその紐４の他端が収納部３を抜けることはない。
【００１３】
更に、被覆地１の上側の辺部１ｃと切り込み部１ｆ及び１ｅとの間に、それぞれ三角形状に被覆地１の一部を内側に折り返して縫合することによって、内部に空洞を有する収納部５及び６を形成し、これらの収納部５及び６にそれぞれ係止部材としての所定の長さのひも７及び８を挿通する。これらのひも７及び８の中央部を収納部５及び６の内部に縫い付けてもよい。また、被覆地１の中央部にベビーカーの安全ベルト及び補助ベルトを通すための３箇所の穴９，１０，１１を形成する。これによって、本例のおくるみが完成したことになる。
【００１４】
次に、本例のおくるみをベビーカーに装着する方法につき説明する。
先ず、図２は装着対象のベビーカーを示し、この図２において、逆Ｕ字型のハンドル１２の下に後方の１対の脚部１３、及び前方の１対の脚部１４が配置され、脚部１３及び１４上からハンドル１２の中間部に沿ってシート１５が設置されている。また、ハンドル１２と前方の１対の脚部１４との間に１対の肘掛け部１６が取り付けられ、これら１対の肘掛け部１６の間に取り外し自在にセイフティガード１７が架設され、１対の脚部１４の下方にステップ１８が渡され、１対の脚部１４及び１対の脚部１３の下端にそれぞれキャスタ１９が取り付けられている。
【００１５】
更に、シート１５の底部に幼児の腰回りを保護する安全ベルト２０、及び幼児がずり落ちるのを防止するための補助ベルト２１が着脱自在に取り付けられ、ハンドル１２中のシート１５の上端近傍の円筒部１２ａ及び１２ｂに、日除け２２の支持部が挿脱自在に差し込まれている。そして、ハンドル１２の上部中央に開閉レバー２８が固定され、この開閉レバー２８を操作することによってそのベビーカーを折り畳めるようになっている。また、ハンドル１２はリクライニングできるように構成されているが、その傾斜範囲はあまり広くない。このように傾斜範囲が狭く、比較的月齢の大きい幼児用に構成されたベビーカーはＢタイプと呼ばれている。なお、本発明のおくるみは、比較的月齢の若い幼児用に構成され、リクライングできる範囲の広いＡタイプ等にも同様に装着できる。
【００１６】
図２のベビーカーに図１のおくるみを装着する際には、そのおくるみの被覆地１をそのベビーカーのシート１５上に載せて、被覆地１中の３箇所の穴９〜１１にシート１５上の安全ベルト２０及び補助ベルト２１を通す。そして、図１の収納部５，６内に挿通されたひも７及び８をそれぞれ図２のハンドル１２の円筒部１２ａ及び１２ｂに結びつけてから、被覆地１上に幼児を載せる。その後、図１の被覆地１の左右のファスナの凹部２ａと凸部２ｂとを閉じる。
【００１７】
図３はそのようにベビーカー上に本例のおくるみを取り付けて、更に幼児を載せた状態を示し、この図３において、そのおくるみの被覆地１中に幼児が包み込まれ、被覆地１の左右の辺部がファスナ２によって閉じられている。また、図３の場合には、幼児の足が被覆地１から突き出ていないため、より防寒性を高めるために、ひも４を絞り込んで、被覆地１の下端部を絞るようにする。その後、幼児を降ろして、そのおくるみをベビーカーから取り外すときには、図１の被覆地１の穴９〜１１より図２の安全ベルト２０及び補助ベルト２１を外した後、ハンドル１２の円筒部１２ａ，１２ｂからひも７，８を外すのみでよい。
【００１８】
このように本例のおくるみはベビーカーに容易に着脱できる。また、図３に示すように、そのおくるみはベビーカーに確実に固定されているため、被覆地１の下端部が次第に垂れ下がることはなく、常に安全に幼児の防寒を図ることができる。更に、ひも４を絞って被覆地１の下端部を絞り込むことによって、防寒性を高めることができる。また、そのおくるみによって、ベビーカーの汚れが防止できる利点もある。更に、必ずしも冬季でなくとも、春秋の寒風が吹くときや夏期の横風の強いときには、本例のおくるみを装着することで、幼児への風の影響を軽減できる。
【００１９】
また、本例のおくるみの被覆地１はそれ程厚い生地でなくともよいため、図２のベビーカーに本例のおくるみを装着した状態で、開閉レバー２８を操作してそのベビーカーを折り畳む際にも、そのおくるみは殆ど邪魔にならないという利点もある。
なお、上述の実施の形態において、係止部材としてのひも７，８の代わりに、帯状で両端にマジックテープが取り付けられたひも等を使用してもよい。更にその係止部材は、例えば被覆地１の上端中央部の１箇所に設けるだけでもよい。また、凹部２ａ及び凸部２ｂよりなる通常のファスナの代わりに、マジックテープ（株式会社クラレの登録商標）、又は短い間隔で取り付けられたボタン等を使用してもよい。但し、通常のファスナを使用した場合には、開閉を短時間にできると共に、気密性が高く防寒効果が大きい利点がある。
【００２０】
また、図４に示すように、被覆地１の左右に穴２６及び２３を形成し、この穴２６及び２３を覆うためのカバー２５及び２７を取り付けるようにしてもよい。この場合、右側のカバー２５を開けて示すように、穴２３の下側に設けた凹のホック２４ａとカバー２５の下端部に設けた凸のホック２４ｂとでカバー２５を被覆地１に固定できるようになっている。図４の例では、例えば内側の幼児が比較的大きい場合等に、カバー２５，２７を開くことによって、穴２３，２６から両腕を出すことができる。
【００２１】
なお、上述の実施の形態は本発明をベビーカー用のおくるみに適用したものであるが、本発明は車椅子、又は介護用の椅子等のおくるみとしても使用できる。車椅子のように安全ベルト又は補助ベルトが付いていない場合には、当然のことながら図１における被覆地１中の穴９〜１１の内で使用しない穴は塞いでおけばよい。
【００２２】
なお、本発明は上述の実施の形態に限定されず、本発明の要旨を逸脱しない範囲で種々の構成を取り得ることは勿論である。
【００２３】
【発明の効果】
本発明の椅子装着用のおくるみによれば、被覆地用の係止部材と、開閉部材とが設けられているため、特にベビーカーや車椅子等の可動の椅子に幼児等を乗せて移動する場合に、その椅子への着脱が容易であると共に、その幼児等の防寒を安全に行うことができる利点がある。
【００２４】
この場合、その被覆地の１対の辺部の間の一方の辺部を絞り込むための絞込部材が設けられているため、その絞込部材を用いることによって防寒性を高めることができる。
また、その係止部材が、その被覆地の絞込部材によって絞り込まれる辺部に対向する辺部近傍に取り付けられた１対の開閉自在のリング状部材であるため、構成が簡略で製造コストが低くできる。更に、その被覆地中に装着対象の椅子の保護ベルトを挿通するための挿通孔が設けられているため、本発明のおくるみを装着したときでもその保護ベルトを使用できる利点がある。
また、その開閉部材がファスナであるときには、被覆地の１対の辺部を閉じる際の操作性、及び気密性が良好である。
また、その挿通孔が３箇所に形成されているときには、その保護ベルトとして安全ベルトの他に補助ベルトも通すことができ、その被覆地に１対の穴部と、それを覆うための１対の開閉自在のカバーとが備えられたときには、被覆対象が幼児等である場合に、その穴部から両手を出すことができる。
【００２５】
次に、本発明の椅子によれば、本発明の椅子装着用のおくるみを用いて、内部の者を安全に防寒できる利点がある。
更に、その椅子が移動用の車を備えた可動の椅子（ベビーカー、車椅子等）であるときには、その椅子が移動してもそのおくるみの下端部が垂れ下がることがないため、特に安全に幼児等を防寒できて、本発明の効果は大である。
【図面の簡単な説明】
【図１】本発明の実施の形態の一例のおくるみを示す展開図である。
【図２】図１のおくるみが装着されるベビーカーを示す斜視図である。
【図３】図２のベビーカーに図１のおくるみを装着して内部に幼児をくるんだ状態を示す斜視図である。
【図４】図１のおくるみの変形例の要部を示す図である。
【符号の説明】
１  被覆地
２ａ  ファスナの凹部
２ｂ  ファスナの凸部
３  収納部
４  ひも
５，６  収納部
７，８  ひも
９，１０，１１  穴
１２  ハンドル
１３，１４  脚部
１５  シート
１９  キャスタ
２０  安全ベルト
２１  補助ベルト
【図１】
0003654605.tif 000002
【図２】
0003654605.tif 000003
【図３】
0003654605.tif 000004
【図４】
0003654605.tif 000005